(57)【要約】      （修正有）【課題】雑草の除草が簡単に、かつ確実に出来、環境保全に効果的であり、比較的安価で取扱性，作業性，保管性がよく除草を必要とするすべての場所に適用される除草用袋体を提供する。【解決手段】除草用袋体１００はターポリンからなる袋体１とこの内部の空間部に充填される水２からなり、地面上に敷設されることにより除草が行われる。【選択図】図２
2012024021.tif 000002
【特許請求の範囲】
【請求項１】
被除草体の上方に被覆される除草用袋体であって、該袋体は柔軟性，耐熱性，耐久性，耐強度性のある樹脂材からなる袋体部と、該袋体部の内部に充填される水とからなることを特徴とする除草用袋体。
【請求項２】
前記袋体部が単体又は連続して区画形成される複体のものからなることを特徴とする請求項１に記載の除草用袋体。
【請求項３】
前記樹脂材がターポリンからなることを特徴とする請求項１又は２に記載の除草用袋体。
【請求項４】
前記ターポリンが共重合ポリエステル樹脂又は該樹脂を主体とする合成樹脂からなることを特徴とする請求項３に記載の除草用袋体。
【発明の詳細な説明】
【技術分野】
【０００１】
本発明は、被除草体を枯らして除去する除草用袋体に係り、特にターポリンからなる袋体部に水を入れて被除草体を除草する除草用袋体に関する。
【背景技術】
【０００２】
除草を必要とする草地は各所に数多く存在し、この除草を実施しないと色々の不具合が発生する。そのため、従来より各種の除草体や除草剤が使用されている。この除草体や除草剤としては機械的や化学的に被除草体を処理して除草するものが大部分であり、数多くの装置や除草剤や除草方法が開示されている。一方、本発明に類似する公知技術は出願人の調査の結果では見出せないが、比較的似ていると思われる公知技術として「特許文献１」が挙げられる。
【先行技術文献】
【特許文献】
【０００３】
【特許文献１】特開平９−１４０３１５号（図１）
【発明の概要】
【発明が解決しようとする課題】
【０００４】
「特許文献１」の「特開平９−１４０３１５号」の「除草方法および除草シート」は除草効果を有する物質からなるシートを除草対象地に覆って除草を行うものであり、有害な除草剤を使用するものではなく、作業性や安全性の高い効果を有するものである。
【０００５】
しかしながら、前記の「特許文献１」のシートは単なるシート材のみからなり、重量物ではなく、雑草を押圧する力が少なく、除草効果が低い問題点がある。また、除草効果として被除草体に例えば太陽熱を付加して加熱することが優れた効果を有するものであるが、「特許文献１」ではその効果が少ない問題点がある。
【０００６】
本発明は、以上の問題点を解決するもので、環境保全に効果的であり、除草効果が高く、作業性もよく、製作も比較的容易であり、除草装置に比較して安価に実施でき任意の、かつ各所の被除草体に対して適用される除草用袋体を提供することを目的とする。
【課題を解決するための手段】
【０００７】
本発明は、以上の目的を達成するために、請求項１の発明は、被除草体の上方に被覆される除草用袋体であって、該袋体は柔軟性，耐熱性，耐久性，耐強度性のある樹脂材からなる袋体部と、該袋体部の内部に充填される水とからなることを特徴とする。
【０００８】
また、請求項２の発明は、前記袋体部が単体又は連続して区画形成される複体のものからなることを特徴とする。
【０００９】
また、請求項３の発明は、前記樹脂材がターポリンからなることを特徴とする。
【００１０】
また、請求項４の発明は、前記ターポリンが共重合ポリエステル樹脂又は該樹脂を主体とする合成樹脂からなることを特徴とする。
【発明の効果】
【００１１】
本発明の請求項１の除草用袋体によれば、この除草用袋体は柔軟性，熱伝導性，耐熱性，耐強度性のある袋体部の内に水を入れたものからなり、太陽熱等の熱源の被除草体への熱伝導が高く、かつ重量物であり、従来の手段に比較して大きな除草効果を上げることができる。また、袋体であり作業性や持ち運び性も高く、任意の場所に敷設することができ、あらゆる場所の除草が確実に行われる。
【００１２】
また、本発明の請求項２の除草用袋体によれば、袋体部が一枚の単体の袋からなるものと連続して区画される複体の袋からなり、いずれも作り易く折り畳みができ収納スペースの小面積化を図ることができる。
【００１３】
また、本発明の請求項３の除草用袋体によれば、袋体部がターポリンからなり、請求項１における効果を具体的に上げることができる。
【００１４】
また、請求項４の除草用袋体によれば、ターポリンとして各種のものがあるが、本発明の目的達成に効果があると思われる内容のものを使用する。
【図面の簡単な説明】
【００１５】
【図１】本発明の一実施例を示す除草用袋体の模式的斜視図（ａ）及び（ａ）のＡ−Ａ線断面図（ｂ）。
【図２】本発明の除草用袋体の使用方法の一例を示す模式的断面図。
【図３】本発明の除草用袋体の別の実施例を示す模式的斜視図（ａ）及び（ａ）のＢ−Ｂ線断面図（ｂ）。
【図４】図３の除草用袋体の使用方法の一例を示す模式的断面図。
【発明を実施するための形態】
【００１６】
以下、本発明の除草用袋体の実施の形態を図面を参照して詳述する。
【実施例１】
【００１７】
図１（ａ），（ｂ）は本発明の除草用袋体の一実施形態を示すものである。
図１（ａ），（ｂ）に示すようにこの除草用袋体１００は袋体部１とこの間に充填されている水２からなる。
【００１８】
袋体部１は図示のように内部に空間部３を有する密閉状の袋からなり、一例として大きさは２ｍ×２ｍ位のものが挙げられる。この袋体部１の材質はターポリンからなる。ターポリンは公知のものでその内容としては各種のものがあるが、ここでは一例として共重合ポリエステル樹脂や該樹脂を主体とする合成樹脂からなるが、勿論これに限定するものではない。このターポリンは柔軟性，耐熱性，熱伝導性や耐強度性に優れるものであり、かつ袋体としての形成が容易に出来る機能を有するものである。
【００１９】
この袋体部１の内部の空間部３には水２が充填され、全体としての重量化を図るようにしている。なお、水２は通常の水道水でよく、特別の水を必要としない。
【００２０】
水２の注入のため袋体部１のコーナ部には水注入用バルブ４が設けられている。この水注入用バルブ４は特殊な構造からなり、本願の出願人による別出願にその内容を開示しているため、ここではその説明を省略するが、水２の注入が容易であると共に水２の逆流を防止する逆止弁があると共に水２の加熱によって生ずる蒸気は放出できる構造のものからなる。
【００２１】
図２は除草用袋体１００の使用状態の一例を示す図である。図示のように地面５には多くの雑草６が生え繁っている。この雑草６は地中７に根８を張っていると共に根８から成長した草部９が地表面に露出している状態のものからなる。
本発明の除草用袋体１００は主として地表面に露出している草部９を枯らして除草する機能を有するものであり、図示のように草部９を覆って、かつ草部９を押圧する状態で使用される。
【００２２】
この除草用袋体１００に太陽光１０が当ると袋体部１が加熱されることにより内部の水２が加熱され、結果として草部９が加熱され、かつ太陽光１０から遮断されると共に袋体部１のターポリンの機能によって次第に枯れ始め、ある時間を経過すると完全に枯れて除草されることになる。
以上のように、本発明の除草用袋体１００を雑草６上に置くだけの簡単な作業により雑草６をほぼ完全に除草することができる。
【００２３】
しかしながら、雑草６には依然として根８があるため、時間と共に再び草部９が根８から成長して雑草６が形成される。従って、完全な除草は根８を枯らす必要があり、本発明の除草用袋体１００も比較的浅い根８を枯らす効果もあるが深い根８を枯らすことが出来ず根８を完全に枯らすためには図示のように銅体１１を根８の近傍に埋設することが必要になる。なお、この銅体１１の構造やその方法についてはノウハウであり、ここでは説明を省略する。
【実施例２】
【００２４】
前記の実施例１の除草用袋体１００はその袋体部１が一枚の単体のものからなるが、実施例２の除草用袋体１００ａは図３（ａ）及び（ｂ）に示すように連続して区画された複体のものからなる。本実施例では図示のように３つに区画されたものからなるが、勿論これに限定するものではない。この区画されている３つの区画袋体部１ａ，１ａ，１ａは夫々閉止体部１２により区画されて夫々導通できないように形成されている。なお、この夫々の区画袋体部１ａ，１ａ，１ａの内部には水２が充填されると共に図３（ａ）に示すように夫々の区画袋体部１ａ，１ａ，１ａには水２を注入するための水注入用バルブ４が設けられている。
【００２５】
図４は図３に示した除草用袋体１００ａの使用状態を示す図である。このように使用することにより除草用袋体１００ａの下面の雑草６の除草が行われる。
【００２６】
本発明は、以上の説明の内容からなるが、本発明の除草用袋体は以上の説明の内容に限定されるものではなく、同一技術的範疇のものが適用されることは勿論である。
【産業上の利用可能性】
【００２７】
本発明の除草用袋体は雑草の生えているすべての要除草地に適用されるものであり、雑草の種類も限定するものではなく、すべての雑草に対して適用できるものであり、その利用範囲は極めて広い。
【符号の説明】
【００２８】
１    袋体部
１ｂ  区画袋体部
２    水
３    空間部
４    水注入用バルブ
５    地面
６    雑草
７    地中
８    根
９    草部
１０  太陽光
１１  銅体
１２  閉止体部
【図１】
2012024021.tif 000003
【図２】
2012024021.tif 000004
【図３】
2012024021.tif 000005
【図４】
2012024021.tif 000006